(57)【要約】アクティブマトリクスアレイ装置が、複数のマトリクスアレイ要素（１００）を有し、各マトリクスアレイ要素は、容量性素子（１２０）をアドレス指定導体（２２ｎ）に応答する第１のスイッチ（１１０）により充電導体（３２ｍ）に結合したものである。加うるに、マトリクスアレイ要素（１００）は、イネーブル導体（４２ｎ）により提供されるイネーブル信号に応答する第２のスイッチ（１１２）によって第１の容量性素子（１２０）に結合された第２の容量性素子（１３０）を有する。第２の容量性素子（１３０）は、第３のスイッチ（１１４）の制御端子に結合され、第３のスイッチは、第１の容量性素子（１２０）と充電導体（３２ｍ）のような電位源との間に結合されている。第２の容量性素子（１３０）は、第１の容量性素子（１２０）の両端間の電圧をサンプリングするために用いられ、かかる電圧は、もし妥当な値のものならば、第３のスイッチ（１１４）を動作可能状態にし、かくして第１の容量性素子（１２０）と電位源との間に導電路が得られる。この構成は、マトリクスアレイ要素（１００）の低電力データリフレッシュモードを考慮に入れており、その後のリフレッシュサイクルでは極性反転が次々に生じる。
2006523323.tif 000002
【特許請求の範囲】
【請求項１】
アクティブマトリクスアレイ装置であって、
複数の充電導体を有し、
前記複数の充電導体と交差する複数のアドレス指定導体を有し、
複数のマトリクスアレイ要素を有し、各マトリクスアレイ要素は、関連のアドレス指定導体に結合された制御端子及び関連の充電導体に結合されたデータ端子を備える第１のスイッチを有し、
各マトリクスアレイ要素は更に、
第１のスイッチの別のデータ端子に結合された第１の容量性素子を有し、
イネーブル信号に応答する制御端子を備えた第２のスイッチにより前記第１の容量性素子に結合されていて、前記第１の容量性素子よりもキャパシタンスの小さな第２の容量性素子を有し、
前記第１の容量性素子と電位源との間に結合された第３のスイッチを有し、この第３のスイッチは、前記第２の容量性素子に結合された制御端子を有することを特徴とするアクティブマトリクスアレイ装置。
【請求項２】
各マトリクスアレイ要素は、前記第１の容量性素子と前記電位源との間に結合された第４のスイッチを更に有し、この第４のスイッチは、別のイネーブル信号に応答する制御端子を備えていることを特徴とする請求項１記載のアクティブマトリクスアレイ装置。
【請求項３】
前記第３のスイッチは、前記第１の容量性素子と前記第４のスイッチとの間に結合されていることを特徴とする請求項２記載のアクティブマトリクスアレイ装置。
【請求項４】
前記第４のスイッチは、前記第１の容量性素子と前記第３のスイッチとの間に結合されていることを特徴とする請求項２記載のアクティブマトリクスアレイ装置。
【請求項５】
前記第２の容量性素子は、第１のサブ素子及び第２のサブ素子から成り、前記第１のサブ素子は、制御信号をもたらすイネーブル導体に結合された第１の端子及び前記第２のスイッチのデータ端子に結合された第２の端子を備え、前記第２のサブ素子は、前記第２のスイッチのデータ端子に結合された第１の端子及び別のイネーブル信号をもたらす別のイネーブル導体に結合された第２の端子を備えていることを特徴とする請求項３又は４記載のアクティブマトリクスアレイ装置。
【請求項６】
前記電位源は、関連の前記充電導体により提供されることを特徴とする請求項１〜５のうちいずれか一に記載のアクティブマトリクスアレイ装置。
【請求項７】
各マトリクスアレイ要素は、第５のスイッチを更に有し、前記第５のスイッチは、読出しイネーブル信号に応答する制御端子、前記第３のスイッチと前記第４のスイッチとの間に結合された第１のデータ端子、及び読出し導体に結合された別のデータ端子を備えていることを特徴とする請求項２記載のアクティブマトリクスアレイ装置。
【請求項８】
第２のスイッチは、前記第４のスイッチとは異なるチャネル型のものであり、前記第２のスイッチの制御端子及び前記第４のスイッチの制御端子は、コモン導体に結合されていることを特徴とする請求項４記載のアクティブマトリクスアレイ装置。
【請求項９】
電子的装置であって、
アクティブマトリクスアレイ装置を有し、
アクティブマトリクスアレイ装置は、
複数の充電導体を有し、
前記複数の充電導体と交差する複数のアドレス指定導体を有し、
複数のマトリクスアレイ要素を有し、各マトリクスアレイ要素は、関連のアドレス指定導体に結合された制御端子及び関連の充電導体に結合されたデータ端子を備える第１のスイッチを有し、各マトリクスアレイ要素は、第１のスイッチの別のデータ端子に結合された第１の容量性素子と、イネーブル信号に応答する制御端子を備えた第２のスイッチにより第１の容量性素子に結合されていて、前記第１の容量性素子よりもキャパシタンスの小さな第２の容量性素子と、第１の容量性素子と電位源との間に結合された第３のスイッチとを更に有し、前記第３のスイッチは、前記第２の容量性素子に結合された制御端子を有し、
電子的装置は更に、
複数の信号を前記複数のアドレス指定導体上に駆動する駆動回路を有し、
複数の別の信号を前記複数のアドレス指定導体上に駆動する別の駆動回路を有し、
駆動回路及び別の駆動回路に電力供給する電源を有することを特徴とする電子的装置。
【請求項１０】
第１及び第２の容量性素子を含む複数のマトリクスアレイ要素を有するアクティブマトリクスアレイ装置を作動させる方法であって、
第１の電圧を前記マトリクスアレイ要素の前記第１の容量性素子に蓄積する段階を有し、
第１の電圧を前記マトリクスアレイ要素の前記第２の容量性素子に蓄積する段階を有し、
マトリクスアレイ要素の前記第１の容量性素子に蓄積された第１の電圧を第２の電圧で置き換える段階を有し、
前記第２の容量性素子に蓄積された第１の電圧の大きさに応じて、第１の容量性素子と電位源との間の電流路を動作可能にして前記第１の容量性素子の第２の前記電圧を第３の電圧で置き換える段階を有することを特徴とする方法。
【発明の詳細な説明】
【発明の詳細な説明】
【０００１】
本発明は、複数の充電導体と、複数の充電導体と交差する複数のアドレス指定導体と、各々が第１のスイッチを介して関連のアドレス指定導体及び関連の充電導体に結合され、第１の容量性素子を備えた複数のマトリクスアレイ要素とを有するアクティブマトリクスアレイ装置に関する。
【０００２】
本発明は又、かかるアクティブマトリクスアレイ装置を有する電子的装置に関する。
【０００３】
本発明は更に、かかるアクティブマトリクスアレイ装置を作動させる方法に関する。
【０００４】
アクティブマトリクスアレイ装置は、種々の応用分野において普及しており、かかる応用分野においては、アクティブマトリクスアレイ装置はセンサ又はメモリとして用いられ、特に表示目的で、例えば、アクティブマトリクスアレイ液晶（ＬＣ）ディスプレイ装置又はアクティブマトリクスアレイ型有機発光ダイオード（ＯＬＥＤ）デバイスとして用いられている。特に、ＬＣ型ディスプレイ装置は、多くのディスプレイ装置領域において先端技術として、従来の陰極線間（ＣＲＴ）ディスプレイ装置と競合している。
【０００５】
アクティブマトリクスアレイ装置は典型的には、複数のアドレス指定導体と交差するよう配列された複数の充電導体及び複数のマトリクスアレイ要素を有し、マトリクスアレイ要素は、薄膜トランジスタ（ＴＦＴ）のようなスイッチによりアドレス指定導体と充電導体の両方にこれら２つの導体の交差部のところで接続されている。充電導体は、アドレス指定導体のうちの１つにより動作可能にされたそれぞれのマトリクスアレイ要素の容量性素子に複数の電荷を蓄積するよう配置されている。アクティブマトリクスアレイディスプレイ装置の場合、アドレス指定導体は典型的には、行導体であり、充電導体は典型的には、列導体であり、マトリクスアレイ要素は、ディスプレイ装置の画素である。画素は、ＬＣディスプレイ装置の場合、ＬＣセルのような容量性素子と、ディスプレイ要素が連続した充電サイクル相互間でその状態を維持するようディスプレイ要素を助けるキャパシタとを有する場合がある。
【０００６】
アクティブマトリクスアレイ装置、特にアクティブマトリクスアレイディスプレイ装置は、ラップトップ型コンピュータ、携帯電話、携帯型情報端末等のような電池式電子的装置に広く用いられている。かかるデバイスでは、電子的装置の連続動作時間に直接的な影響を及ぼすので、電力消費量の減少が重要な課題である。したがって、アクティブマトリクスアレイ装置の電力消費量を減少させることができるということが重要である。というのは、これは、電子的装置の全体的な電力節減に寄与する場合があるからである。
【０００７】
アクティブマトリクスアレイ装置の電力消費量の相当多くの部分は、マトリクスアレイ要素の充電に起因している。特に、大面積アクティブマトリクスアレイ装置又は多数のアドレス指定及び充電導体を有するアクティブマトリクスアレイ装置では、導体は各々比較的大きなキャパシタンスを有し、マトリクスアレイ要素の充電により電力のうち相当多くの量が消費される場合がある。というのは、充電導体のキャパシタンスは、アクティブマトリクスアレイ装置の一アドレス指定サイクルにおいて関連のマトリクスアレイ要素の全てに適当な電荷を順次蓄積させるために多くの回数にわたって充填と放電を行わなければならない場合があるからである。
【０００８】
これは、マトリクスアレイ要素にそれぞれ蓄積されたデータ値が変化せず、定期的に同一のデータ値で上書きされる状況では特に無駄なことである。これは、例えば、長期間にわたり一定の出力を出すためにアクティブマトリクスアレイ装置が必要である状況において起こる場合があり、その理由は例えば、アクティブマトリクスアレイ装置を一部とする電子的装置が待機状態に切り換えられるからである。
【０００９】
国際公開第ＷＯ０３／００７２８６号パンフレットは、電力消費量を減少させる装置を備えたアクティブマトリクスアレイ型ＬＣディスプレイ装置を開示する。この目的のため、マトリクスアレイ要素は、１対のＴＦＴにより画素キャパシタンスに結合されたインバータを有するリフレッシュ回路を含む。定期的に、画素キャパシタンスに格納されたデータをインバータの入力キャパシタンスに移し、その後第２のＴＦＴを動作可能にして格納データの反転値を画素キャパシタンスに戻す。マトリクスアレイ要素に格納されたデータ信号を反転させるのにインバータが必要である。その目的は、ＬＣ材料の劣化を防止することにある。この構成により、マトリクスアレイ要素に格納された信号を、比較的大きな充電導体のキャパシタンスの充電及び放電を含む充電サイクルを採用する必要なく、定期的に更新することができ、かくしてマトリクスアレイ要素の状態が変化しない状況では電力消費量が減少する。
【００１０】
しかしながら、この構成は、画素キャパシタンスの状態を一時的に記憶する要素としてインバータを用いなければならないという欠点がある。これは、インバータ型トランジスタを別々のソース及びドレイン電圧源にそれぞれ結合しなければならず、典型的には、互いに逆のチャネル型のものであることが必要であり、これによりアクティブマトリクスアレイ装置の費用が増大すると共にその設計が複雑になるので比較的厄介である。
【００１１】
本発明の目的は、マトリクスアレイ要素のリフレッシュ機能を実行するのにインバータの使用を必要としない本明細書冒頭の項目中に記載されたアクティブマトリクスアレイ装置を提供することにある。
【００１２】
本発明の別の目的は、かかるアクティブマトリクスアレイ装置を有することにより恩恵を受ける本明細書冒頭の項目に記載された電子的装置を提供することにある。
【００１３】
本発明の更に別の目的は、かかるアクティブマトリクスアレイ装置を作動させる方法を提供することにある。
【００１４】
本発明の第1の態様によれば、アクティブマトリクスアレイ装置であって、複数の充電導体を有し、前記複数の充電導体と交差する複数のアドレス指定導体を有し、複数のマトリクスアレイ要素を有し、各マトリクスアレイ要素は、関連のアドレス指定導体に結合された制御端子及び関連の充電導体に結合されたデータ端子を備える第１のスイッチを有し、各マトリクスアレイ要素は更に、第１のスイッチの別のデータ端子に結合された第１の容量性素子を有し、イネーブル信号に応答する制御端子を備えた第２のスイッチにより前記第１の容量性素子に結合されていて、前記第１の容量性素子よりもキャパシタンスの小さな第２の容量性素子を有し、前記第１の容量性素子と電位源との間に結合された第３のスイッチを有し、この第３のスイッチは、前記第２の容量性素子に結合された制御端子を有することを特徴とするアクティブマトリクスアレイ装置が提供される。
【００１５】
本発明のアクティブマトリクスアレイ装置は、インバータをメモリ要素として用いるのではなく、第１の容量性素子の状態を記憶する非反転型の第２の容量性素子、例えば小容量キャパシタを用い、このキャパシタは、マトリクスアレイ要素中のデータ値を記憶するキャパシタであるのが良い。第１の容量性素子の状態を第２の容量性素子に記憶させた後、第１の容量性素子を、マトリクスアレイ要素に記憶されている値が何であるべきかとは無関係に、2値のハイ又は2値のロウのような一定の値で繰り返し上書きできる。関連の充電導体により一定電圧を印加することができ、これは、充電導体が同じ電圧を連続するアドレス指定サイクルで関連のマトリクスアレイ要素全てに提供するという利点を有し、このことが、次のマトリクスアレイ要素を充電する際に充電導体の大きなキャパシタンスを再充電する必要がなく、かくして電力消費量の相当な減少が得られるということを意味している。第２の容量性素子に蓄積される電圧は、第１の容量性素子に記憶されている既定の値を符号が逆の別の既定の値で置き換える、即ち、２つ目毎のアドレス指定サイクルにおいて2値のハイを2値のロウで置き換え、或いはこの逆の置き換えを行うようにするため、第１の容量性素子とアースのような電位源との間のスイッチを制御するために用いられる。これは、全てのアドレス指定サイクルで第１の容量性素子の極性の反転を容易にし、これは、第１の容量性素子がＬＣセルを含む場合に特に有用である。これは、第１の容量性素子の状態を記憶するデバイスに電力供給するために専用電力線が不要であり、かくして本発明のアクティブマトリクスアレイ装置のマトリクスアレイ要素の複雑さが軽減するという利点がある。第１、第２及び第３のスイッチを全て同じ技術で実現でき、これは、本発明のアクティブマトリクスアレイ装置の製造費を減少させることができるが、このようにするかどうかは任意である。
【００１６】
一実施形態では、各マトリクスアレイ要素は、第１の容量性素子と電位源との間に結合された第４のスイッチを更に有し、第４のスイッチは、別のイネーブル信号に応答する制御端子を備える。これは、第１の容量性素子と電位源との間の導電路を即座に動作可能にしないで、第２の容量性素子を充電できるという利点がある。この目的のため、第４のスイッチを第１の容量性素子と第３のスイッチとの間又は第３のスイッチと電位源との間に配置するのが良い。
【００１７】
第２の容量性素子は、第１のサブ素子及び第２のサブ素子から成り、第１のサブ素子は、イネーブル導体に結合された第１の端子及び第２のスイッチのデータ端子に結合された第２の端子を備え、第２のサブ素子は、第２のスイッチのデータ端子に結合された第１の端子及び別のイネーブル導体に結合された第２の端子を備えると有利である。２つのサブ素子への容量性素子の分散は、第２の容量性素子がイネーブル信号及び別のイネーブル信号を伝搬させるよう配置された導体に接続されている状況では有用である。というのは、イネーブル信号及び別のイネーブル信号に用いられる電圧波形は、第２の容量性素子の電圧に悪影響を及ぼす場合があるからである。これら望ましくない影響は、分散型容量性素子を用いることにより補償できる。
【００１８】
さらに、電位源を関連の充電導体により提供すれば有利である。第１の容量性素子を電位源に結合するために充電導体を用いることにより、専用導体が不要になり、これによりアクティブマトリクスアレイ装置のアーキテクチャが単純になる。
【００１９】
さらに又、各マトリクスアレイ要素が、第５のスイッチを更に有し、第５のスイッチが、読出しイネーブル信号に応答する制御端子、第３のスイッチと第４のスイッチとの間に結合された第１のデータ端子、及び読出し導体に結合された別のデータ端子を備えれば、有利である。かかる構造により、第１の容量性素子に格納されているデータの読出しが容易になる。
【００２０】
別の実施形態では、第２のスイッチは、第４のスイッチとは異なるチャネル型のものであるのが良く、第２のスイッチの制御端子及び第４のスイッチの制御端子は、コモン導体に結合される。これは２つの形式のスイッチを製作しなければならいないのでアクティブマトリクスアレイ装置の製造費が増大するが、これによりアクティブマトリクスアレイ装置の複雑さが軽減する。というのは、第２のスイッチと第４のスイッチの両方を制御するのに１つの導体を使用できるからである。
【００２１】
本発明の第2の態様によれば、各マトリクスアレイ要素は、前記第１の容量性素子と前記電位源との間に結合された第４のスイッチを更に有し、この第４のスイッチは、別のイネーブル信号に応答する制御端子を備えていることを特徴とする請求項１記載のアクティブマトリクスアレイ装置が提供される。
【００２２】
かかる電子的装置は、長期間にわたって一定の出力を出すアクティブマトリクスアレイ装置への電源の所要供給電力が小さいので、本発明のアクティブマトリクスアレイ装置から恩恵を受ける。これは、電源がバッテリーパック又はこれに類似した電源である場合に特に有利である。というのは、ラップトップ型コンピュータ、携帯電話、携帯型情報端末等であるかかる電子的装置は、電源を交換し又は再充電する必要なく長い期間にわたり動作できるからである。これは、この動作期間がかかる電子的装置の重要な市場における品質特性であるので重要な利点である。
【００２３】
本発明の第3の態様によれば、前記第３のスイッチは、前記第１の容量性素子と前記第４のスイッチとの間に結合されていることを特徴とする請求項２記載のアクティブマトリクスアレイ装置が提供される。
【００２４】
この方法は、データをマトリクスアレイ要素に永続的に格納する必要なく、マトリクスアレイ要素に格納されたデータを維持する簡単な方式を提供する。
【００２５】
添付の図面を参照して本発明を非限定的な例により詳細に説明する。
【００２６】
図は、概略的に過ぎず、縮尺通りには作成されていないことは理解されるべきである。図中、同一の参照符号は、同一又はほぼ同一の部分を指示するために用いられていることも又理解されるべきである。
【００２７】
図１は、先行技術のアクティブマトリクスアレイ装置１０を概略的に示している。アクティブマトリクスアレイ装置１０は、駆動回路２０に結合された行導体として示された複数のアドレス指定導体２２と、アドレス指定導体２２と交差していて、別の駆動回路３０に結合された列導体として示されている複数の充電導体３２とを有している。アクティブマトリクスアレイ装置１０は、複数のマトリクスアレイ要素１００を更に有し、各マトリクスアレイ要素は、第１のスイッチ１１０を有し、この第１のスイッチは、アドレス指定導体２２のうちの１つに結合された制御端子及び充電導体３２のうちの１つに結合されたデータ端子を備えている。典型的には、第１のスイッチ１１０は、薄膜トランジスタ（ＴＦＴ）であるのが良く、そのゲートは、制御端子であり、そのソースは、データ端子である。マトリクスアレイ要素１００は、第１のスイッチの別のデータ端子、例えばＴＦＴのドレイン端子に結合された第１の容量性素子１２０を更に有している。容量性素子１２０は、アクティブマトリクスアレイ装置１０がディスプレイ装置である場合、液晶（ＬＣ）セルのようなディスプレイ要素及びこれと関連したキャパシタを有するのが良い。
【００２８】
アクティブマトリクスアレイ装置１０がＬＣディスプレイ装置である場合、その動作は代表的には以下の通りである。駆動回路２０及び別の駆動回路３０は、典型的には専用ハードウェア（図示せず）によりビデオ信号源（図示せず）から出力されたタイミング信号に応答する。駆動回路２０は、アドレス指定導体２２のうちの１つに選択信号を送り、それによりマトリクスアレイ要素１００の充電を実行可能にし、このマトリクスアレイ要素は、そのアドレス指定導体２２に結合された第１のスイッチ１１０の制御端子を有している。別の駆動回路３０は、複数のデータ電圧信号を充電導体３２に送る。その目的は、選択したマトリクスアレイ要素１００の第１の容量性素子１２０に複数の電荷を蓄積させることにある。典型的には、これら電荷は、ビデオ信号により定められる階調（グレースケール）レベルに一致する。このプロセスは、アドレス指定導体２２が全て駆動回路２０によってアドレス指定されるまで次のアドレス指定導体２２について繰り返される。各アドレス指定導体２２を一度アドレス指定する一サイクル全体は典型的には、ビデオ信号のフィールド又はフレーム周期内で行われる。
【００２９】
マトリクスアレイ要素１００、例えばＬＣ画素のディスプレイ型の第１の容量性素子１２０に用いられる材料の経年変化を避けるためには、第１の容量性素子１２０の極性を連続したフィールド周期で交番変化させるのが良い。これを行う２つの一般的に用いられている方法は、第１の容量性素子１２０が全て同一の極性のものであって、この極性が各フィールド周期後に反転するフィールド周波数反転法又はライン周波数反転法であり、かかるライン周波数反転法では、所与のアドレス指定導体２２上のマトリクスアレイ要素１００の第１の容量性素子１２０は、隣りのアドレス指定導体２２上のマトリクスアレイ要素１００の第１の容量性素子１２０とは逆の極性に保たれ、これら極性の絶対符号は、各フィールド周期毎に反転される。
【００３０】
充電導体３２によるマトリクスアレイ要素１００の第１の容量性素子１２０の充電は典型的には、アクティブマトリクスアレイ装置１０の総電力消費量の大部分を占める。これは、数ある理由のうちで、充電導体３２の各々が少なくとも数ピコファラドの場合がある大きなキャパシタンスを有し、フィールド又はフレーム周期中に種々のマトリクスアレイ要素１００の第１の容量性素子１２０の充電の際、かかる大きなキャパシタンスの充電と放電を多数回行わなければならないということによって生じる。したがって、アクティブマトリクスアレイ装置１０の電力消費量のこの特定の部分を減少させることは、アクティブマトリクスアレイ装置１０による総電力消費量の減少に著しく寄与することができ、これが、電池のような有限の電源の寿命を延ばすのに役立ち得る。電力消費量のかかる減少は例えば、第１の容量性素子１２０に蓄積された電荷を全てのフィールド周期で置き換える必要がない場合に達成できる。その理由は例えば、マトリクスアレイ要素１００の輝度レベルのような規定の状態が変化しないからであり、これは例えば、アクティブマトリクスアレイ装置１０がアクティブマトリクスアレイ装置１０を含む電子的装置の待機期間のような限られた時間の間に一定の出力を生じさせることが期待されている場合である。
【００３１】
以下の図において、アクティブマトリクスアレイ装置１０がＮ個のアドレス指定導体２２及びＭ個の充電導体３２を有し、Ｎ及びＭが正の整数であると仮定する。文字ｎが参照符号への標識として用いられている場合、これは、Ｎ個のアドレス指定導体２２のうちの１つ又はアドレス指定導体２２ｎに結合されたマトリクスアレイ要素１００と関連した別の導体を示している。これと同様に、標識ｎ＋１は、アレイ中の次のアドレス指定導体２２を示し、標識ｎは、Ｍ個の充電導体３２のうちの１つを示している。
【００３２】
図２は、本発明のアクティブマトリクスアレイ装置１０の一部の第１の実施形態を示している。この実施形態では、各マトリクスアレイ要素１００は、充電導体３２と第１の容量性素子１２０との間に結合された第１のスイッチ１１０を有している。図２においては、第１の容量性素子１２０は、蓄積キャパシタであるのが良い第１の容量性サブ素子１２２及びＬＣ画素のような容量ディスプレイ要素であるのが良い第２の容量性サブ素子１２４を有する。なお、第１の容量性素子１２０が、単一のデバイス又は分散性デバイスであるのが良いことが強調される。非限定的な例として、第１の容量性サブ素子１２２は、専用電極２４ｎに結合され、この専用電極は代表的には、アドレス指定導体２２ｎを共有するマトリクスアレイ要素１００のサブ素子１２２によって共有されている。代替例として、第１の容量性サブ素子１２２をマトリクスアレイ要素１００の次の列のアドレス指定導体２２（ｎ＋１）に結合しても良い。第２の容量性サブ素子１２４は、コモン電極１４０に結合されている。しかしながら、強調されることとして、例えば非ディスプレイ型アクティブマトリクスアレイ装置の一部としての第１の容量性素子１２０の他の実施形態は、同じように実現可能である。各マトリクスアレイ要素１００は、第１の容量性素子１２０と第２の容量性素子１３０との間に結合された第２のスイッチ１１２を更に有し、第２の容量性素子１３０は、専用キャパシタであるのが良く、ＴＦＴのゲートは、容量目的又は任意他の公知の容量デバイスのために用いられる。第２のスイッチ１１２は、イネーブル導体４２ｎに結合された制御端子を有し、第２の容量デバイス１３０は、別の電極５２ｎに更に結合されている。別の電極５２ｎは、専用電極であるのが良く、或いはマトリクスアレイ要素１００内の別のデバイスと共有される導体であっても良い。かかる共有される導体は例えば、別の電極又はアドレス指定導体２２であるのが良い。
【００３３】
マトリクスアレイ要素１００は、第３のスイッチ１１４を有し、この第３のスイッチは、第２の容量性素子１３０に結合された制御端子を有し、その導電路は、第１のスイッチ１１０と第１の容量性素子１２０との間に結合されている。動作原理を説明すると、アクティブマトリクスアレイ装置１０のマトリクスアレイ要素１００は、以下の方法により説明されるよう動作する。
【００３４】
第１の段階では、第１の電圧をマトリクスアレイ要素１００の第１の容量性素子１２０に蓄える。これは代表的には、アクティブマトリクスアレイ装置１０のアクティブモード、例えばアクティブマトリクスアレイディスプレイ装置のビデオ信号処理モード中に行われる。この目的のため、アドレス指定導体２２ｎに第１のスイッチ１１０をオンにするアドレス指定パルスを与え、それにより充電導体３２ｍに印加されたデータ信号電圧に従って適当な第１の電圧を第１の容量性素子１２０に蓄えることができる。図２に示す実施形態では、これは、図３のスイッチ１１４を第１のスイッチ１１０と同時に動作可能状態にしなければならないことを意味している。というのは、第３のスイッチ１１４は、第１のスイッチ１１０と第１の容量性素子１２０との間の導電路中に配置されているからである。これが、別の電極５２ｎに第２のスイッチ１１２をオフ状態に保ちながら第３のスイッチ１１４を別の容量性素子１３０を介して動作可能にする適当な電圧を与えることにより達成できる。しかしながら、第３のスイッチ１１４を第１のスイッチ１１０と第１の容量性素子１２０との間の導電路の外部に配置しても良く、この場合、アクティブマトリクスアレイ装置１０を動作させる方法の第１段階中、第３のスイッチ１１４を動作可能にする必要はないことが代替的な実施形態によって例証される。
【００３５】
アクティブマトリクスアレイ装置１０を待機モードのような低電力モードで動作させる期間を開始できる次の段階では、第１の電圧をマトリクス要素１００の第２の容量性素子１３０に蓄積する。これは、イネーブル導体４２ｎにイネーブル信号を与えて第２のスイッチ１１２を動作可能にすることにより行われる。その結果、第２の容量性素子１３０は、第１の容量性素子１２０に蓄積された第１の電圧のメモリ要素として役立つ。
【００３６】
第３の段階では、マトリクスアレイ要素１１０の第１の容量性素子１２０の第１の電圧を第２の電圧で置き換える。この第２の電圧を第１の電圧を供給するのと同一の仕方で、即ち充電導体３２ｍを介して第１の容量性素子１２０に供給するのが良い。
【００３７】
この方法は、第４の段階で完了し、この第４の段階では、第１の容量性素子１２０と電位源との間の電流路を第２の容量性素子１３０に蓄えられた第１の電圧の大きさに応じて動作可能にする。電位源は、専用電極であっても良く、充電導体３２のうちの１つ、例えば関連の充電導体３２ｎにより提供しても良い。電流路を動作可能にした場合、第１の容量性素子１２０の第２の電圧を第３の電圧で置き換える。
【００３８】
この方法は、マトリクスアレイ要素１００の第１の容量性素子１２０に最初に蓄えられた第１の電圧を、作動方法の次のサイクルで第１の電圧の極性を反転させることによりリフレッシュさせることができ、かくして第１の容量性素子１２０内のＬＣ材料のような材料の保護を可能にする。
【００３９】
図３は、図２に記載したようなアクティブマトリクスアレイ装置１０に対する上述の動作方法を実施するために使用できる１組の時間依存性電圧波形の非限定的な例を示している。図２においては、マトリクスアレイ要素１００のこの時点における電圧波形の表示を可能にするノード１２３が、マトリクスアレイ要素１００中に設けられている。この例では、充電導体３２ｍ及びアドレス指定導体２２ｎに結合されたマトリクスアレイ要素１００並びに充電導体３２ｍ及びアドレス指定導体２２（ｎ＋１）に結合されたマトリクスアレイ要素１００についての最も適切な電圧波形が示されている。前者のマトリクスアレイ要素１００のノード１２３及び容量性サブ素子１２４には（ｎ，ｍ）という標識がつけられ、後者のマトリクスアレイ要素１００のノード１２３及び容量性サブ素子１２４には（ｎ＋１，ｍ）という標識が付けられている。
【００４０】
図３は、２つの主要な期間を示しており、左側の期間には、ｔactiveという標識が付けられ、この期間は代表的には、ディスプレイ装置のビデオモードのようなアクティブマトリクスアレイ装置のアクティブモードと関連している。右側の期間には、ｔrefreshという標識が付けられ、この期間は代表的には、アクティブマトリクスディスプレイ装置を含む電子的装置の待機モードのようなアクティブマトリクスアレイ装置のパッシブ又はリフレッシュモードと関連しており、かかるパッシブ又はリフレッシュモード中、アクティブマトリクスディスプレイ装置は、主として一定の画像を生じさせなければならない。
【００４１】
マトリクスアレイ要素１００の１つ置きの列が互いに逆の極性の駆動電圧を受けるライン周波数反転方式を用いてアクティブマトリクスアレイ装置１０をアドレス指定すると仮定し、更に、第２の容量性サブ素子１２４により必要とされる交流駆動電圧の一部をアクティブマトリクスアレイ装置１０のコモン電極に印加し、その結果充電導体３２の駆動電圧の大きさを減少させるコモン電極１４０駆動方式を用いると仮定する。これら波形は、自動リフレッシュ型マトリクスアレイ要素１００の動作原理を示しているが、これらは、一意的ではないので最適化されなかった。
【００４２】
波形は、２つのマトリクスアレイ要素１００、即ち、充電導体３２ｍ及びアドレス指定導体２２ｎに結合された第１のマトリクスアレイ要素１００及び充電導体３２ｍ及びアドレス指定導体２２（ｎ＋１）に結合された第２のマトリクスアレイ要素１００のアドレス指定の仕方を示している。アクティブモードでは、アクティブマトリクスアレイ装置１０を従来の仕方で、例えば、ビデオ情報をディスプレイ装置であるアクティブマトリクスアレイ装置１０の充電導体３２に適用し、次に関連のアドレス指定導体２２を高電圧レベルにすることにより画素の群をアドレス指定する。
【００４３】
図３の下に１２４（ｎ，ｍ）、１２３（ｎ，ｍ）、１２４（ｎ＋１，ｍ）及び１２３（ｎ＋１，ｍ）という標識が付けられた波形は、２つの選択されたマトリクスアレイ要素１００の容量性サブ素子１２４の両極板間及びノード１２３に印加された電圧を示している。アドレス指定導体２２ｎに結合されたマトリクスアレイ要素１００を高ｒｍｓ電圧でアドレス指定すると、通常はその結果として、マトリクスアレイ要素１００は、これがマトリクスアレイディスプレイ装置の一部である場合、暗く見える。アドレス指定導体２２（ｎ＋１）に結合されたマトリクスアレイ要素１００を低ｒｍｓ電圧でアドレス指定すると、通常はその結果として、マトリクスアレイ要素１００は、これがマトリクスアレイディスプレイ装置の一部である場合、明るく見える。
【００４４】
アクティブマトリクスアレイ装置１０を自動リフレッシュモードに切り換えると、データをマトリクスアレイ要素１００内でリフレッシュしているとき、マトリクスアレイ要素１００に駆動回路３０から情報を送る必要はもはや無い。このリフレッシュ動作は、マトリクスアレイ要素１００を通常アクティブモードで順次アドレス指定するのと同一の仕方でアドレス導体毎に順次実施できる。しかしながら、同じ駆動極性を持つ全てのマトリクスアレイ要素１００を同時にアドレス指定することによりアクティブマトリクスアレイ要素１００を別の仕方でリフレッシュするのが有利である。というのは、これは、アクティブマトリクスアレイ装置１０のコモン電極に印加される駆動波形の周波数を減少させることができ、したがってアクティブマトリクスアレイ装置１０の電力消費量を減少させることができるからである。１つの選択肢は、奇数番号のアドレス指定導体２２に結合されたマトリクスアレイ要素１００を全て同時にリフレッシュし、次に偶数番号のアドレス指定導体２２に結合されたマトリクスアレイ要素１００を全て同時にリフレッシュすることにある。これは、図３に示された状況である。
【００４５】
アクティブマトリクスアレイ装置１０が自動リフレッシュモードに入ると、奇数番号のアドレス指定導体２２ｎに結合されたマトリクスアレイ要素１００をまず最初にリフレッシュする。これは、アクティブマトリクスアレイ装置１０のコモン電極１４０に印加される電圧を、偶数番号のアドレス指定導体２２ｎが最後にアクティブモードで、例えばディスプレイ装置のビデオモードの最後のフィールド周期中にアドレス指定されるのと同一のレベルに設定することにより開始される。すると、関連の容量性サブ素子１２２，１２４の電圧は、駆動回路３０により定められた範囲内に収まることになる。偶数番号のアドレス指定導体２２ｎに結合されたマトリクスアレイ要素のイネーブル導体４２ｎを検出期間中、高レベルにする。その目的は、第２のスイッチ１１２を動作可能にし、容量性素子１２０に加わる第１の電圧を検出することにある。次に、アクティブマトリクスアレイ装置１０のコモン電極１４０に加わる電圧をその第２のレベルに切り換え、高データ電圧レベルを充電導体３２に印加する。偶数番号のアドレス指定導体２２ｎ及び別の電極５２ｎを上書き期間中、高レベルにし、それにより第１のスイッチ１１０及び第３のスイッチ１１４を動作可能にすると共に高データ電圧レベル、即ち第２の電圧を関連のマトリクスアレイ要素１００の第１の容量性素子１２０に蓄積することができる。
【００４６】
次に、偶数番号のアドレス指定導体２２ｎを更新期間中高電圧レベルに維持した状態で、充電導体３２及び別の電極５２ｎに現れる電圧を低電圧レベルに戻す。高データ電圧レベルが検出期間中、第１の容量性素子１２０に現れた場合、この電圧レベルを関連の第２の容量性素子１３０上にコピーし、かくして関連のマトリクスアレイ要素１００の第３のスイッチ１１４を動作可能な状態に保つ。これにより、第１の容量性素子１２０と関連の充電導体３２との間に導電路が形成され、この導電路は、第１の容量性素子１２０の電位源、即ちアースとなる。その結果、第１の容量性素子１２０を放電して第３の電圧を採用し、この第３の電圧は、この場合低データ電圧レベルである。低データ電圧レベルが検出期間中、第１の容量性素子１２０上に現れると、関連の第３のスイッチ１１４は、動作不能な状態のままであり、第１の容量性素子１２０の電圧は、第２の電圧、即ち高データ電圧レベルのままである。
【００４７】
次に、奇数番号のアドレス指定導体２２（ｎ＋１）に結合されたマトリクスアレイ要素１００をリフレッシュする。コモン電極１４０電圧は適正なレベル、即ち、マトリクスアレイ要素１００がアクティブサイクル中にアドレス指定されたときに存在するレベルにあり、奇数番号のアドレス指定導体２２（ｎ＋１）に結合されたマトリクスアレイ要素１００のイネーブル導体４２（ｎ＋１）を検出期間中、高電圧レベルにするのが良い。その目的は、第１の容量性素子１２０の電圧を検出することにある。次に、コモン電極１４０に現れる電圧を切り換え、高データ電圧レベルを充電導体３２に印加する。次に、関連のマトリクスアレイ要素１００のアドレス指定導体２２（ｎ＋１）を上書き期間中、高レベルにし、これらマトリクスアレイ要素１００中の第１の容量性素子１２０を高データ電圧レベルに事前充電する。次に、アドレス指定導体２２（ｎ＋１）を更新期間中、高電圧レベルに維持した状態で、充電導体３２及び別の電極５２（ｎ＋１）に現れる電圧を低データ電圧レベルに戻す。この場合も又、これにより、上述したように第２の容量性素子１３０の電圧により定められる第１の容量性素子１２０の電圧がリフレッシュされる。
【００４８】
今や、アドレス指定導体２２に現れている電圧は、マトリクスアレイ要素１００が再びリフレッシュされるまで一定に維持される。マトリクスアレイ要素１００が再びリフレッシュされる前に許容可能な期間は、マトリクスアレイ要素１００のスイッチを通る漏れ電流又は第２の容量性サブ素子を通る漏れ電流のような漏れ電流に起因して第１の容量性素子１２０のキャパシタンスに現れる電圧が放電する速度で決まる。マトリクスアレイ要素１００を２度目にリフレッシュする場合、奇数番号及び偶数番号のアドレス指定導体２２に結合されたマトリクスアレイ要素１００をリフレッシュする順序を逆にする。これにより、コモン電極１４０の駆動電圧波形の移行回数が減少する。
【００４９】
第２の容量性素子１３０は好ましくは、第１の容量性素子１２０の電圧に相当大きな影響を及ぼす第１の容量性素子１２０から第２の容量性素子１３０への電荷の移動を阻止するよう第１の容量性素子１２０よりもかなり小さなキャパシタンスを有するべきであることは強調されるべきである。
【００５０】
また、当業者であれば、マトリクスアレイ要素１００の状態をリフレッシュするこの構成は、２つの状態、例えばマトリクスアレイ要素１００の第１の容量性素子１２０の高電圧により定められるオン状態及びマトリクスアレイ要素１００の第１の容量性素子１２０の低電圧により定められるオフ状態に合わせて構成できるマトリクスアレイ要素１００を有するアクティブマトリクスアレイ装置１０に特に適していることは理解されよう。個々の電圧を全て充電導体３２により個々に回復しなければならない（通常、これには上述したような大電力消費量が必要である）というよりはむしろ、充電導体３２が容量性素子１２０と電位源の結線としての役目を果たす必要がなければ、本発明のアクティブマトリクスアレイ装置１０のリフレッシュサイクル中、充電導体３２に単一の電圧を与えるのが良い。充電導体３２がかかる結線として役立つ場合、本発明のアクティブマトリクスアレイ装置１０のリフレッシュサイクル中、充電導体３２に２つの電圧を供給する必要がある。その結果、充電導体３２と関連したキャパシタンスを１度又は２度充電する必要があるに過ぎず、これにより、マトリクスアレイ要素１００にフレッシュ回路の無いアクティブマトリクスアレイ装置と比較して、本発明のアクティブマトリクスアレイ装置１０に関し電力消費量が著しく減少する。
【００５１】
また、種々の第１の容量性素子１２０に高い第２の電圧を与えてから次に第１の容量性素子１２０をアースのような低い電位源に結合する代わりに、第１の容量性素子１２０にも低い第２の電圧を与え、その後第１の容量性素子１２０を供給電圧源のような高い電圧源に結合することは、本発明の教示から逸脱しないことは理解されよう。
【００５２】
図４は、本発明のアクティブマトリクスアレイ装置１０の一部の別の実施形態を示している。図２に示す実施形態と比較して、この実施形態は、別のイネーブル導体６２ｎに結合された制御端子を備える第４のスイッチ１１６を有し、この第４のスイッチは、第３のスイッチ１１４と充電導体３２ｍとの間に結合されている。この構成では、第２の容量性素子１３０は、第２のスイッチ１１２と充電導体３２ｍとの間に結合され、これには、第２の容量性素子１３０に加わる電圧を定めるのに追加の電極を必要としないという利点がある。加うるに、第１のスイッチ１１０は、第１の容量性素子１２０と、充電導体３２ｍ、第３のスイッチ１１４及び第４のスイッチ１１６により提供される電位源との間の導電路中にもはや存在しない。これには、図２に示す実施形態とは対照的に、第２の容量性素子１３０をアクティブマトリクスアレイ装置１０のアクティブモードにおいて第１の容量性素子１２０の充電に関与させる必要がないという利点がある。リフレッシュモードでは、第１の容量性素子１２０の電圧を第２の容量性素子１３０によりサンプリングし又は検出した後、第４のスイッチ１１６に別のイネーブル信号を与える。それと同時に、充電導体３２ｍに第３の電圧を与え、この第３の電圧は、第３のスイッチ１１４が第２の容量性素子１３０に蓄積された電荷により動作可能であれば、第１の容量性素子１２０に蓄積された第２の電圧に取って代わることになる。
【００５３】
図５は、図４に示す回路の代替的な構成例を示しており、ここでは、第１のスイッチ１１０は、第３のスイッチ１１４と並列に配置されている。その結果、充電導体３２ｍは、図４に示す実施形態の第１のスイッチ１１０及び第４のスイッチ１１６への直接接続ではなく、単一のスイッチにのみ、即ち第４のスイッチ１１６にのみ直接接続される。充電導体３２に直接接続された各スイッチは、充電導体３２のキャパシタンスを増大させると共に充電導体３２からの漏れ電流路の数を増加させるので、図５に示すアクティブマトリクスアレイ装置１０のマトリクスアレイ要素１００は、図４に示す実施形態と比較して特性が向上している。これは、とりわけ駆動回路３０からの駆動電圧がマトリクスアレイ要素１００のアドレス指定期間中一定のままであることが重要なアクティブマトリクスアレイ装置１０のアクティブモード中、特に意味がある。
【００５４】
図６は、リフレッシュモード中、読出し機能をマトリクスアレイ要素１００に与えるアクティブマトリクスアレイ装置１０の一部を示している。この目的のため、第１のスイッチ１１０は、別の電位源８２ｎに結合され、この電位源８２ｎは、上述した仕方でアクティブマトリクスアレイ装置１０のリフレッシュモード中に動作可能になるのが良い。第４のスイッチ１１６は、第１のスイッチ１１０と第３のスイッチ１１４との間の導電路中に設けられ、第５のスイッチ１１８が、第４スイッチ１１６と第３のスイッチ１１４との間の導電路に結合されたそのソースのようなデータ端子を有する。第５のスイッチ１１８は、充電導体３２ｍに結合されたそのドレインのような別のデータ端子及び読出しイネーブル導体７２ｎに結合された制御端子を有する。第２の容量性素子は、非限定的な例として、電位源８２ｎに結合された端子を有する。ただし、代替的な構成が同じように実現可能である。
【００５５】
充電導体３２ｍを充電し、第５のスイッチ１１８を動作可能にすることによりマトリクスアレイ要素１００を読み出すことができる。電圧降下が観察されると（これは、駆動回路３０によってモニタできる）、これにより充電導体３２ｍと電位源８２ｎとの間に導電路が存在しているらしいことが分かり、これは、第２の容量性素子１３０が高電圧を保持していることを意味している。というのは、第３のスイッチ１１６は、動作可能になっているからである。第２の容量性素子１３０が第１の容量性素子１２０に蓄積されているデータのコピーを保持しているので、第１の容量性素子１２０に蓄積されたデータ値も既知である。
【００５６】
この時点においては、図４及び図５に示す回路を第５のスイッチ１１８（これらの図には示さず）で同様に拡張可能であることが強調される。しかしながら、この場合、マトリクスアレイ要素１００の読出しは、第５のスイッチの別のデータ端子が別個の導体に結合された状態で、充電導体２２により提供される電位源への第１の容量性素子１２０の結合中に起こる必要がある。電流の流れが第５のスイッチ１１８により検出された場合、これによりこのスイッチ１１４が動作可能状態にあることが分かる。しかしながら、この構成の問題は、充電導体３２ｍから第５のスイッチ１１８を通り第４のスイッチ１１６を経て流れる寄生電流が読出し信号の誤った解釈を生じさせる場合があるということであり、このことは図６に示す実施形態が何故好ましいかということを示している。というのは、この読出しは、マトリクスアレイ要素１００が休止（静止）状態にある間に行うことができ、かくして読出し信号を破損させる恐れが回避されるからである。
【００５７】
図７は、本発明のアクティブマトリクスアレイ装置１０の一部の別の実施形態を示しており、かかる実施形態では、第２の容量性素子１３０は、別のイネーブル導体６２ｎ及びイネーブル導体４２ｎを電極として用いている。上記において強調したように、第２の容量性素子１３０について多くの代替接続方式が利用可能であり、この特定の構成は、これらのうちの１つである。しかしながら、第２の容量性素子１３０を別のイネーブル導体６２ｎとイネーブル導体４２ｎとの間に結合させる場合、第２の容量性素子１３０に蓄積された適当な電圧がこれら導体により搬送される波形により妨害されないよう注意を払う必要があり、かかる妨害は、第３のスイッチ１１４の適正な動作可能を損なう場合があり、かくして第１の容量性素子１２０に格納されているデータの正確さを損ねる。例えば、第２のスイッチ１１２がＮチャネル型デバイスである場合、第２の容量性素子１３０による第１の容量性素子１２０の検出期間の終わりでの高電圧から低電圧へのイネーブル導体４２ｎの移行により、第３のスイッチ１１４の制御端子のところの電圧は、第１の容量性素子１２０からサンプリングされた電圧よりも低くなり、これにより、第３のスイッチ１１４が正しくオンにされるのを阻止する場合がある。また、別のイネーブル電極６２ｎにかかる電圧が低電圧レベルから高電圧レベルに切り換わった場合、第３のスイッチ１１４の制御端子は、第１の容量性素子１２０からサンプリングされた電圧よりも高い電圧を受ける傾向にあり、これにより第３のスイッチ１１４が誤ってオンになる場合がある。
【００５８】
かかる外乱を補償するため、第２の容量性素子１３０は、第１のサブ素子１３２及び第２のサブ素子１３４を有し、第１のサブ素子１３２は、イネーブル導体４２ｎに結合された第１の端子及び第２のスイッチ１１２のデータ端子、例えばドレインに結合された第２の端子を有し、第２のサブ素子１３４は、第２のスイッチ１１２のデータ端子に結合された第１の端子及び別のイネーブル導体６２ｎに結合された第２の端子を有する。サブ素子１３２，１３４の端子は、それぞれのキャパシタのプレートであるのが良い。第２の容量性素子１３０を第１のサブ素子１３２及び第２のサブ素子１３４に分散させることにより、別のイネーブル導体６２ｎとイネーブル導体４２ｎの結合効果が大部分打ち消され、第２の容量性素子１３０にかかる十分に安定した電圧が得られる。
【００５９】
代替例として、第２のスイッチ１１２が十分に大きなキャパシタンスを有する状況では、第１のサブ素子１３２を省いても良く、第２のスイッチ１１２のキャパシタンスは、イネーブル導体４２ｎに対する電圧波形の妨害効果を補償する所望の分布キャパシタンスをもたらす。この時点において、上述の本発明のアクティブマトリクスアレイ装置１０の実施形態は全て、マトリクスアレイ要素１００に用いられたスイッチを同一の技術で、例えばｎチャネル型又はｐチャネル型ＴＦＴ又は他の公知のスイッチング素子により実現できるという利点を有していることが強調される。これにより、アクティブマトリクスアレイ装置１０の製造プロセスの複雑さが緩和され、かくしてこれにより製造費が安くなると共にかかるデバイスの歩留まりが高くなる。しかしながら、本発明のアクティブマトリクスアレイ装置１０は又、互いに逆のチャネル型のスイッチを用いると、その恩恵を受ける場合がある。これは、第２のスイッチ１１２と第４のスイッチ１１６の両方をアドレス指定するのにイネーブル導体を１つしか必要としない、即ちイネーブル導体６２ｎしか必要としないという利点がある。というのは、第２のスイッチ１１２は代表的には、第４のスイッチをオンにするとオフになり、又その逆の関係が成り立ち、これは、両方のスイッチが互いに逆のチャネル型のものであり、同一の電圧波形に応答するということにより保証される。マトリクスアレイ要素１００のレイアウトは、追加の導体を１つしか必要としないということにより恩恵を受け、これは、アクティブマトリクスアレイ装置１０が、マトリクスアレイ要素１００の複雑さの軽減が代表的にはディスプレイ特性の向上をもたらすディスプレイ装置である場合に特に適切である。
【００６０】
図９は、本発明のアクティブマトリクスアレイ装置１０を有する電子的装置５００を示している。マトリクスアレイ要素１００の内部は、省いてあるが、これは分かりやすくするためであるに過ぎない。アクティブマトリクスアレイ装置１０は、非限定的な例として複数のイネーブル導体４２を有し、先の図に開示された実施形態を具体化するのに必要な他の追加の組をなす導体も又設けるのが良い。代表的には、アクティブマトリクスアレイ装置１０は、ディスプレイ装置であり、電子的装置５００は、モニタ、テレビジョン、ラップトップ型コンピュータ、携帯型情報端末、携帯電話又はこれらに類似した形式の装置であるが、必ずしもそうである必要はない。
【００６１】
電子的装置５００は、駆動回路２０及び別の駆動回路３０に電力供給する電源５２０を有している。駆動回路２０及び別の駆動回路３０は、アクティブマトリクスアレイ装置１０の一体部分であっても良く、或いは、アクティブマトリクスアレイ装置１０の技術とは異なる技術で実現されたものであっても良い。電子的装置５００は、本発明のアクティブマトリクスアレイ装置１０を設けたことで恩恵を受ける。というのは、駆動回路２０及び別の駆動回路３０の電力消費量は、例えば電子的装置５００をアクティブマトリクスアレイ装置１０が待機モードに切り換わり、アクティブマトリクスアレイ装置１０が上述のリフレッシュモードに入る場合に大幅に減少できる。これは、電池式電子的装置５００にとって特に有利である。というのは、かかるデバイスは、電池の寿命を長くするために或る形態の待機モードに定期的に切り換わるからである。事実、電池の寿命は、かかる電子的装置の重要な市場における品質特性であり、本発明のアクティブマトリクスアレイ装置１０を組み込むことにより、その理由で電子的装置５００の市場性が高くなる。
【００６２】
上述の実施形態は本発明を限定するためのものではなく、当業者であれば、特許請求の範囲に記載された本発明の範囲から逸脱することなく多くの代替的な実施形態を想到できることは注目されるべきである。特許請求の範囲において、括弧で括って示す参照符号は、特許請求の範囲に記載された本発明を限定するものと解釈されてはならない。原文明細書における“comprising”という用語（訳文では、「〜を有する」又は「〜を含む」と訳出している場合がある）は、請求項に列記された要素又は段階以外の要素又は段階の存在を排除するものではない。原文明細書における“a ”又は“an”という用語（訳文では、特に訳出していない）は、複数のかかる要素の存在を排除するものではない。本発明は、幾つかの別々の要素から成るハードウェアによって具体化できる。幾つかの手段を列挙する装置クレームでは、これら手段のうちの幾つかを同一のハードウェアで具体化できる。或る特定の手段が互いに異なる従属項形式の請求項に列記されているという単なる事実は、これら手段の組合せを有利には使用できないということを意味しているというわけではない。
【図面の簡単な説明】
【００６３】
【図１】公知のアクティブマトリクスアレイ装置の全体構造を概略的に示す図である。
【図２】本発明のアクティブマトリクスアレイ装置の実施形態を概略的に示す図である。
【図３】本発明のアクティブマトリクスアレイ装置を作動させる複数の電圧波形を概略的に示す図である。
【図４】本発明のアクティブマトリクスアレイ装置の代替的な実施形態を概略的に示す図である。
【図５】本発明のアクティブマトリクスアレイ装置の別の代替的な実施形態を概略的に示す図である。
【図６】本発明のアクティブマトリクスアレイ装置の別の代替的な実施形態を概略的に示す図である。
【図７】本発明のアクティブマトリクスアレイ装置の別の代替的な実施形態を概略的に示す図である。
【図８】本発明のアクティブマトリクスアレイ装置の別の代替的な実施形態を概略的に示す図である。
【図９】本発明の電子的装置を概略的に示す図である。
【図１】
2006523323.tif 000003
【図２】
2006523323.tif 000004
【図３】
2006523323.tif 000005
【図４】
2006523323.tif 000006
【図５】
2006523323.tif 000007
【図６】
2006523323.tif 000008
【図７】
2006523323.tif 000009
【図８】
2006523323.tif 000010
【図９】
2006523323.tif 000011
【国際調査報告】
2006523323.tif 000012
2006523323.tif 000013